(57)【要約】【課題】構造が簡単であり、液体を注入する操作が容易かつ安全に行なわれるコネクタを提供すること。【解決手段】コネクタ１は、液体容器に接続されるものである。このコネクタ１は、内部に設けられ、互いに独立する第１の流路７および第２の流路８と、これらの一端が、それぞれ、端面９１１に開口し、液体容器へ接続される針体９１とを備えたコネクタ本体９と、第１の流路７の他端部に設けられ、筒状をなす第１のコネクタ部２Ａと、第２の流路８の他端部に設けられ、筒状をなす第２のコネクタ部２Ｂと、第１のコネクタ部２Ａおよび第２のコネクタ部２Ｂの少なくとも一方に設けられ、当該コネクタ部に管体を着／脱することに伴い開／閉する弁体５とを有している。【選択図】図２
2006212084.tif 000002
【特許請求の範囲】
【請求項１】
液体容器に接続されるコネクタであって、
内部に設けられ、互いに独立する第１の流路および第２の流路と、これらの一端が、それぞれ、端部に開口し、前記液体容器へ接続される接続部とを備えたコネクタ本体と、
前記第１の流路の他端部に設けられ、筒状をなす第１のコネクタ部と、
前記第２の流路の他端部に設けられ、筒状をなす第２のコネクタ部と、
前記第１のコネクタ部および前記第２のコネクタ部の少なくとも一方に設けられ、当該コネクタ部に管体を着／脱することに伴い開／閉する弁とを有することを特徴とするコネクタ。
【請求項２】
前記弁は、前記第１のコネクタ部および前記第２のコネクタ部のそれぞれに設けられている請求項１に記載のコネクタ。
【請求項３】
前記第１のコネクタ部と前記第２のコネクタ部とは、互いに外周部の形状が異なる請求項２に記載のコネクタ。
【請求項４】
前記第１のコネクタ部と前記第２のコネクタ部とは、それらの突出方向がほぼ直交している請求項２または３に記載のコネクタ。
【請求項５】
前記接続部は、前記液体容器の栓体に刺通可能な針体で構成されている請求項１ないし４のいずれかに記載のコネクタ。
【請求項６】
前記第１の流路および前記第２の流路の前記接続部を通過している部分は、互いにほぼ平行に配置されている請求項１ないし５のいずれかに記載のコネクタ。
【請求項７】
前記第１の流路および前記第２の流路の前記接続部を通過している部分は、並列に配置されている請求項６に記載のコネクタ。
【請求項８】
前記弁は、弾性材料で構成され、前記液体が通過可能な内腔部と、平面状の頂面から前記内腔部に到達するスリットとが形成された頭部と、胴部とを有しており、
前記弁が設けられたコネクタ部は、前記頭部が挿入可能な第１の内腔部と、該第１の内腔部に連通し、その内径が前記第１の内腔部より拡径した第２の内腔部とを有しており、
前記管体が装着されていないとき、前記スリットが閉じた状態で前記頭部が前記第１の内腔部に挿入され、
前記管体が装着されたとき、前記管体が前記頂面を押圧することにより、前記頭部が前記第２の内腔部に入り込み、それとともに変形して、前記スリットが開く請求項１ないし７のいずれかに記載のコネクタ。
【請求項９】
前記頭部は、前記スリットが閉じる際に押される、突出した当接部を備えた請求項８に記載のコネクタ。
【請求項１０】
前記第２のコネクタ部の外周部と形状が異なる外周部を有する第３のコネクタ部を備えたチューブが、前記第１のコネクタ部に接続されている請求項１ないし９のいずれかに記載のコネクタ。
【発明の詳細な説明】
【技術分野】
【０００１】
本発明は、液体容器に接続されるコネクタに関する。
【背景技術】
【０００２】
輸液チューブや注射針のような管体から、輸液バッグのような容器に液体（例えば、薬液）を注入（混注）するには、管体と容器とを接続するコネクタ（注入器具）を当該容器に設置して、このコネクタを介して行なうことが知られている。
【０００３】
このようなコネクタには、容器本体（輸液バッグ本体）の開口部（口部）に取り付けられるコネクタ本体と、コネクタ本体に設けられ、液体が注入される２つの注入口とを有するものがある（例えば、特許文献１参照）。
【０００４】
しかしながら、このコネクタは、容器本体の開口部を覆うように設けられており、当該コネクタを取り外すと容器本体内の液体が漏れ出すため、コネクタ自体の着脱は、困難または不可能である。また、医療従事者や患者の症例によっては、必ずしも２つの注入口を用いるとは限らず、一方の注入口が不要（無駄）となる場合がある。このため、前述したような着脱が困難または不可能なコネクタを、あらゆる容器本体に設けるのは、現実的ではない。
【０００５】
また、他の構成のコネクタとしては、注射針により穿刺可能な膜が設けられ、この穿刺された注射針を介して液体が注入される注入口を有するものがある（例えば、特許文献２参照）。この膜は、注射針が抜き取られる際に再シールされる再シール性を有している。
【０００６】
しかしながら、このコネクタを介して液体を注入するには、注射針を用いる必要があり、この注射針により医療従事者が誤って穿刺されてしまうという問題があった。
【０００７】
【特許文献１】特開２００２−７８７７５号公報
【特許文献２】特表２００１−５０５０９２号公報
【発明の開示】
【発明が解決しようとする課題】
【０００８】
本発明の目的は、構造が簡単であり、液体を注入する操作が容易かつ安全に行なわれるコネクタを提供することにある。
【課題を解決するための手段】
【０００９】
このような目的は、下記（１）〜（１０）の本発明により達成される。また、下記（１１）〜（１５）であるのが好ましい。
【００１０】
（１）  液体容器に接続されるコネクタであって、
内部に設けられ、互いに独立する第１の流路および第２の流路と、これらの一端が、それぞれ、端部に開口し、前記液体容器へ接続される接続部とを備えたコネクタ本体と、
前記第１の流路の他端部に設けられ、筒状をなす第１のコネクタ部と、
前記第２の流路の他端部に設けられ、筒状をなす第２のコネクタ部と、
前記第１のコネクタ部および前記第２のコネクタ部の少なくとも一方に設けられ、当該コネクタ部に管体を着／脱することに伴い開／閉する弁とを有することを特徴とするコネクタ。
【００１１】
（２）  前記弁は、前記第１のコネクタ部および前記第２のコネクタ部のそれぞれに設けられている上記（１）に記載のコネクタ。
【００１２】
（３）  前記第１のコネクタ部と前記第２のコネクタ部とは、互いに外周部の形状が異なる上記（２）に記載のコネクタ。
【００１３】
（４）  前記第１のコネクタ部と前記第２のコネクタ部とは、それらの突出方向がほぼ直交している上記（２）または（３）に記載のコネクタ。
【００１４】
（５）  前記接続部は、前記液体容器の栓体に刺通可能な針体で構成されている上記（１）ないし（４）のいずれかに記載のコネクタ。
【００１５】
（６）  前記第１の流路および前記第２の流路の前記接続部を通過している部分は、互いにほぼ平行に配置されている上記（１）ないし（５）のいずれかに記載のコネクタ。
【００１６】
（７）  前記第１の流路および前記第２の流路の前記接続部を通過している部分は、並列に配置されている上記（６）に記載のコネクタ。
【００１７】
（８）  前記弁は、弾性材料で構成され、前記液体が通過可能な内腔部と、平面状の頂面から前記内腔部に到達するスリットとが形成された頭部と、胴部とを有しており、
前記弁が設けられたコネクタ部は、前記頭部が挿入可能な第１の内腔部と、該第１の内腔部に連通し、その内径が前記第１の内腔部より拡径した第２の内腔部とを有しており、
前記管体が装着されていないとき、前記スリットが閉じた状態で前記頭部が前記第１の内腔部に挿入され、
前記管体が装着されたとき、前記管体が前記頂面を押圧することにより、前記頭部が前記第２の内腔部に入り込み、それとともに変形して、前記スリットが開く上記（１）ないし（７）のいずれかに記載のコネクタ。
【００１８】
（９）  前記頭部は、前記スリットが閉じる際に押される、突出した当接部を備えた上記（８）に記載のコネクタ。
【００１９】
（１０）  前記第２のコネクタ部の外周部と形状が異なる外周部を有する第３のコネクタ部を備えたチューブが、前記第１のコネクタ部に接続されている上記（１）ないし（９）のいずれかに記載のコネクタ。
【００２０】
（１１）  前記コネクタ本体は、樹脂材料で構成されている上記（１）ないし（１０）のいずれかに記載のコネクタ。
【００２１】
（１２）  前記第１の流路と前記第２の流路とは、それぞれ組成が異なる液体を注入する部位である上記（１）ないし（１１）のいずれかに記載のコネクタ。
【００２２】
（１３）  前記頭部は、その少なくとも前記頂面付近の外径が前記胴部に向って漸増するテーパ状をなすテーパ部を有する上記（８）または（９）に記載のコネクタ。
【００２３】
（１４）  前記テーパ部には、該テーパ部の一部を除去した切欠きが形成されている上記（１３）に記載のコネクタ。
【００２４】
（１５）  前記スリットは、その形状がほぼ一文字状をなしている上記（８）、（９）、（１３）または（１４）に記載のコネクタ。
【発明の効果】
【００２５】
本発明によれば、構造を簡単なものとすることができ、また、弁を設置したことにより、液体を注入する操作を容易かつ安全に行なうことができる。
【００２６】
また、第１のコネクタ部および第２のコネクタ部の外周部の形状がそれぞれ異なる場合には、管体を装着すべきコネクタ部と違うコネクタ部に、当該管体を装着するのを確実に防止することができる。
【００２７】
コネクタ本体に接続部としての針体を設けた場合には、容器の栓体に対してコネクタを容易に装着することができる。
【発明を実施するための最良の形態】
【００２８】
以下、本発明のコネクタを添付図面に示す好適な実施形態に基づいて詳細に説明する。
＜第１実施形態＞
図１は、本発明のコネクタの第１実施形態を示す斜視図、図２は、図１中のＡ−Ａ線断面図、図３は、図２中の領域［Ｂ］の拡大詳細図、図４は、図１に示すコネクタが有する弁体の斜視図、図５は、図４中のＣ−Ｃ線断面図、図６〜図８は、ぞれぞれ、図１に示すコネクタの使用状態を示す図、図９は、図７中のＤ−Ｄ線断面図である。なお、以下の説明では、図１および図２（図１０も同様）中のコネクタの長手方向を「ｘ軸方向」、鉛直方向を「ｚ軸方向」、ｘ軸方向およびｚ軸方向に垂直な方向を「ｙ軸方向」と言う。また、図３〜図５および図９中の上側を「先端」、下側を「基端」ということがある。
【００２９】
図６（図７および図８も同様）に示すように、コネクタ１は、液体を医療用容器（液体容器）１０に注入する注入器具として用いられるものである。このコネクタ１は、コネクタ本体９と、コネクタ本体９のｘ軸正方向に突出して設けられた第１のコネクタ部２Ａと、コネクタ本体９のｚ軸正方向に突出して設けられた第２のコネクタ部２Ｂと、第１のコネクタ部２Ａおよび第２のコネクタ部２Ｂのそれぞれに設けられた弁体（弁）５とを有している（図１および図２参照）。
【００３０】
まず、コネクタ１の各部の構成について説明する前に、コネクタ１を介して液体が注入される容器１０について説明する。
【００３１】
図６に示すように、医療用容器１０は、内部（液体収納部１０３）に液体Ｒを収納する容器本体（輸液バッグ）１０１と、容器本体１０１の口部（開口部）１０２を塞ぐように設置された栓体１０４とを有している。なお、以下の説明では、医療用容器１０として、輸液バッグを例にして説明する。
【００３２】
容器本体１０１の構成材料としては、特に限定されないが、例えば、ポリエチレン、ポリプロピレン、ポリ塩化ビニルの各種樹脂材料等が用いられる。
【００３３】
また、栓体１０４の構成材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料を用いられる。
【００３４】
また、容器本体１０１に収容される液体Ｒとしては、特に限定されないが、例えば、血液製剤、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、各種蛋白製剤、抗癌剤、麻酔薬、覚せい剤、麻薬のような各種薬液、各種診断薬、あるいは、蒸留水、生理食塩水、消毒薬、栄養剤、流動食、アルコール等の液体が挙げられる。
次に、コネクタ１の各部の構成について説明する。
【００３５】
コネクタ本体９は、その形状が長尺状をなしている。
コネクタ本体９のｘ軸方向の負側には、医療用容器１０へ接続される接続部としての針体９１が形成されている。針体９１の端面９１１は、ｘ軸方向に対して傾斜しており、これにより、医療用容器１０の栓体１０４に対し刺通可能となっている（例えば、図６参照）。
【００３６】
このような針体９１により、コネクタ１を医療用容器１０に容易に装着（設置）することができ、よって、コネクタ１を介して医療用容器１０内に液体を注入することができる。また、コネクタ１を医療用容器１０に装着しさえすれば、管体を用いて任意に液体の注入操作を行なうことができる。これにより、注入操作毎にコネクタ１を医療用容器１０に装着するのが省略され、よって、コネクタ１の着脱（挿入・抜去）による栓体１０４の劣化を確実に防止することができる。
【００３７】
図２に示すように、コネクタ本体９の内部には、互いに独立する第１の流路７と第２の流路８とが設けられている。ここで、「互い独立する」とは、コネクタ１（コネクタ本体）内において、互いに合流しないことをいう。
第１の流路７は、針体９１を通過するようにｘ軸方向に沿って形成されている。
【００３８】
第２の流路８は、Ｌ字状をなすように形成されている。すなわち、第２の流路８は、針体９１を通過するようにｘ軸方向に沿って形成された部分（以下、この部分を「第１の部位８１」という）と、第１の部位８１の一端からｚ軸正方向に形成された部分（以下、この部分を「第２の部位８２」という）とで構成されている。
【００３９】
また、第１の流路７の開口（一端）７１および第２の流路８の開口（一端）８３は、それぞれ、針体９１の端面９１１（端部）に設けられている。これにより、開口７１と開口８３とが互いの近傍に設けられ、よって、例えば第１の流路７と第２の流路８とから同時に液体を注入したとき、開口７１および８３からぞれぞれ流出した液体が医療用容器１０内で迅速に混合される。
【００４０】
第１の流路７および第２の流路８の第１の部位８１は、互いにほぼ平行、かつ、並列に配置されている。これにより、針体９１の外径（太さ）を小さく（細く）設定することができ、よって、針体９１を栓体１０４に容易に刺通させることができる。
【００４１】
図１に示すように、コネクタ本体９の外周部の途中には、板状をなすフランジ部９２が設けられている。このフランジ部９は、ｘ軸方向に垂直に設けられている。
【００４２】
コネクタ１（コネクタ本体９）を栓体１０４に挿入したり、栓体１０４から抜去したりするときには、フランジ部９２に指をかけて、コネクタ１をｘ軸方向に操作することができる。換言すれば、栓体１０４に対するコネクタ１の挿入・抜去を容易に行なうことができる。
【００４３】
なお、コネクタ本体９の構成材料としては、特に限定されないが、例えば、ポリエチレン、ポリプロピレン、ポリカーボネート、ナイロン、アクリロニトル−ブタジエン−スチレン共重合体（ＡＢＳ）、ポリエチレンテレフタレート等の各種樹脂材料が挙げられる。このような樹脂材料を用いることにより、針体９１が栓体１０４を刺通するときに当該針体９１で栓体１０４を損傷させる、すなわち、コアリングが発生するのを防止することができる。
【００４４】
図１および図２に示すように、第１の流路の他端部には、管体が接続可能であり、全体の形状が筒状をなす第１のコネクタ部２Ａが設けられている。また、第２の流路の他端部には、第１のコネクタ部２Ａと同様に、管体が接続可能であり、全体の形状が筒状をなす第２のコネクタ部２Ｂが設けられている。
【００４５】
前述したように、第１のコネクタ部２Ａは、ｘ軸方向に突出しており、第２のコネクタ部２Ｂは、ｚ軸方向に突出している。すなわち、第１のコネクタ部２Ａと第２のコネクタ部２Ｂとは、それらの突出方向がほぼ直交している。これにより、コネクタ部同士が離間することとなり、各コネクタ部に管体を接続した際の管体同士の干渉を防止することができる。
【００４６】
また、これらの第１のコネクタ部２Ａおよび第２のコネクタ部２Ｂには、それぞれ、弁体５が収納されて（設置されて）いる。
【００４７】
第２のコネクタ部２Ｂは、その蓋部４Ｂ（外周部４６Ｂ）の形状が第１のコネクタ部２Ａの蓋部４Ａ（外周部４６Ａ）の形状と異なること以外は、第１のコネクタ部２Ａとほぼ同一（同様）である。このため、まず、第１のコネクタ部２Ａについて代表的に説明する。
【００４８】
図３に示すように、第１のコネクタ部２Ａは、弁体設置部３と、蓋部（キャップ）４Ａとを備えている。
【００４９】
図３に示す弁体設置部３は、その形状が有底筒状をなしている。この弁体設置部３は、内部の先端側に第２の内腔部３３と、基端側に第２の内腔部３３と連通する第３の内腔部３４とが形成されている。第２の内腔部３３は、その内径が後述する蓋部４Ａに形成された第１の内腔部４３より拡径しており、第３の内腔部３４は、その内径が第２の内腔部３３より縮径している。
【００５０】
この第３の内腔部３４の内径は、後述する弁体５の胴部５５の外径より若干大きいのが好ましい。これにより、以下の効果を得ることができる。管体６Ａが第１のコネクタ部２Ａ（接続口４２）に接続されて、弁体５の胴部５５が軸方向に変形したとき、胴部５５の外周面５５１が第３の内腔部３４の内周面３４１に当接して、胴部５５（弁体５）における過剰な変形を防止することができる（図９参照）。また、これにより、後述する弁体５のスリット５４が裂けるのを防止することができる。
【００５１】
また、弁体設置部３の底面３５の中心部には、第１の流路７の開口７２が設けられている。第３の内腔部３４は、開口７２を介して第１の流路７に連通している。
【００５２】
また、弁体設置部３の外周面３２１の基端側には、先端側より拡径した段差部３１が設けられている。
【００５３】
図３に示す蓋部４Ａは、内部に弁体５を収納する空間（内腔部）を有し、弁体設置部３の先端側（弁体設置部３）に連結されるものである。
【００５４】
蓋部４Ａの内部には、後述する弁体５の頭部５１が挿入可能な第１の内腔部４３と、第１の内腔部４３に連通し、第１の内腔部４３より拡径した嵌合部４４とが形成されている。
【００５５】
第１の内腔部４３は、その形状が弁体５の頭部５１の外形に対応するよう形成されている。また、第１の内腔部４３の先端側には、管体６Ａを接続（保持）するための接続口（接続部）４２が形成されており、その径は、第１の内腔部４３の基端側の径より縮径している。
【００５６】
第１の内腔部４３の内周面４３２には、軸方向に沿い、第１の内腔部４３の径方向に突出した複数のリブ４５が設けられている。管体６Ａを第１のコネクタ２Ａに接続したとき、このリブ４５により、弁体５が支えられて、弁体５に座屈が生じる（弁体５が倒れる）のを防止することができる。また、リブ４５の個数は、特に限定されず、例えば、２〜１０個であるのが好ましく、４〜８つであるのがより好ましい。
【００５７】
嵌合部４４の基端側には、弁体設置部３の段差部３１と嵌合する段差部４１が形成されており、その径は、嵌合部４４の先端側の径より拡径している。また、段差部４１の内径は、弁体設置部３の段差部３１の外径とほぼ同等またはそれより若干小さいのが好ましい。これにより、蓋部４Ａ（段差部４１）と弁体設置部３（段差部３１）とが強固に嵌合（連結）する（液密に接する）ことができ、よって、第１のコネクタ２Ａの内部の液体が漏れるのを防止することができる。また、蓋部４Ａと弁体設置部３とが連結した際、第１の内腔部４３と第２の内腔部３３とが連通し、第１の内腔部４３、第２の内腔部３３および第３の内腔部３４で形成された空間に弁体５を設置（収納）することができる。
【００５８】
蓋部４Ａの外周部（外周面）４６Ａには、ネジ山（ルアーロックネジ）４３１が形成されている。このネジ山４３１は、後述する管体６Ａの外側部６２Ａのネジ山（ルアーロックネジ）６２１に螺合するようになっており、管体６Ａを第１のコネクタ２Ａに接続する際は、この螺合により、蓋部４Ａに対して管体６Ａがロックされる。
【００５９】
なお、弁体設置部３と蓋部４Ａとの固定方法としては、嵌合に限定されず、例えば、かしめ、接着剤による接着、熱融着、超音波融着等の融着等であってもよい。
【００６０】
また、蓋部４Ａおよび弁体設置部３の構成材料としては、特に限定されないが、例えば、コネクタ本体９についての説明で挙げたような材料、各種ガラス材、セラミックス材料、金属材料を用いることができる。
【００６１】
弁体５は、弾性変形可能な弾性材料（可撓性材料）で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５の頂面５１１に適度な弾性を得ることができ、よって、頂面５１１と管体６Ａの基端面６３とが液密に接することができる（図９参照）。
【００６２】
また、弁体５の硬度が５０〜６０°（ショア−Ａ）であるのが好ましい。これにより、弁体５に適度な反発力が生じて、スリップチップが接続し易くなる。
【００６３】
図４および図５に示すように、弁体５は、頭部５１と、頭部５１の基端側に設けられた（形成された）胴部５５とを有している。
【００６４】
頭部５１は、その形状が有底筒状をなしており、液体が通過可能な内腔部５１２と、平面状の頂面５１１から内腔部５１２に到達するスリット５４とが形成されている。このスリット５４は、その形状がほぼ一文字状をなしている。スリット５４の形状がこのように簡単であることにより、より容易に（確実に）スリット５４が開口する（開く）ことができる。
【００６５】
また、頭部５１は、その頂面５１１付近の外径が胴部５５に向って（軸方向に向って）漸増するテーパ状をなすテーパ部５６と、その基端に設けられた外径一定部５７とを有している。このテーパ部５６におけるテーパ角度は、３５〜５５°である。また、テーパの始まり径（図５中、φＤで示す長さ）は、３．５〜５．２ｍｍであるのが好ましい。また、テーパの長さ（図２中、Ｌで示す長さ）は、１．５〜５ｍｍであるのが好ましい。ここで、テーパ角度とは、軸線に対してなす角度（図２中、θで示す角度）のことである。
【００６６】
このようなテーパ部５６が形成されていることにより、頭部５１（頂面５１１付近）が変形しやすくなるため、管体６Ａが第１のコネクタ２Ａに接続（装着）されたとき、確実かつ充分にスリット５４を開口することができる。
【００６７】
図１に示すように、テーパ部５６には、テーパ部５６の一部を除去した切欠き５６１が形成されている。すなわち、頭部５１には、テーパ部５６と外径一定部５７とをまたぐように除去した切欠き５６１が形成されている。
【００６８】
これにより、第１のコネクタ２Ａに接続（挿入）されている管体６Ａを抜去したとき、弁体５（頭部５１）が蓋部４Ａの第１の内腔部４３により容易に入り込むことができ、よって、より確実にスリット５４が閉じることができる。
【００６９】
また、頭部５１は、スリット５４が閉じる際に押される、突出した２つの当接部５２を備えている。これら２つの当接部５２は、それぞれ、頭部５１の頂面５１１付近に形成され、スリット５４が閉じる方向（図４中、矢印方向）と反対方向に突出している。
【００７０】
このような当接部５２により、頭部５１が蓋部４Ａの第１の内腔部４３に挿入されているとき、第１の内腔部４３の内周面４３２が当接部５２を押圧するため、スリット５４をより確実に閉じることができる（図３参照）。また、これにより、第１のコネクタ２Ａ内の液体の圧力（内圧）に対する耐圧性を向上させることができる。
【００７１】
また、頭部５１の底部（先端部）５１３の肉厚（図２中、ｔで示す長さ）は、特に限定されないが、１〜１．５ｍｍであるのが好ましい。これにより、コネクタ１内の液体の圧力（内圧）に対する耐圧性を向上させることができる。また、管体６Ａがコネクタ１に接続されたとき、より確実かつ充分にスリット５４を開口することができる。
【００７２】
以上のように構成された頭部５１は、管体６Ａが接続されていない（離脱されている）とき、スリット５４（弁体５）が閉じた状態で蓋部４Ａの第１の内腔部４３に挿入されている。
【００７３】
図５に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５をその基端側から先端側に向って（頭部５１が蓋部４Ａの第１の内腔部４３に挿入される方向に）付勢する変形部（付勢手段）として機能している。
【００７４】
また、この胴部５５は、弁体５がその基端側から先端側に向って復元する復元力の大半を担っているが、頭部５１がその復元力の一部を担っいてもよい。
【００７５】
また、胴部５５（筒状体）において、その蛇腹状の箇所における凸部（大径リング部５５２）の個数は、３つまたは４つである。すなわち、その蛇腹状の箇所における凹部（小径リング部５５３）の個数は、４つまたは５つである。
【００７６】
また、大径リング部５５２の径方向の厚さ（凸部の肉厚（図２中のｕ１で示す長さ））は、特に限定されず、例えば、１〜２．５ｍｍであるのが好ましい。また、小径リング部５５３の径方向の厚さ（凹部の肉厚（図２中のｕ２で示す長さ））は、特に限定されず、例えば、０．５〜１．５ｍｍであるのが好ましい。
【００７７】
このように胴部５５の形成条件を設定することにより、胴部５５（弁体５）が好適に変形することができる。また、これにより、弁体５のスリット５４が裂けるのを防止することができる。
【００７８】
以上のように構成された弁体５は、第１のコネクタ部２Ａ内に収納される際、弁体５の外周面５５１のほぼ全域にシリコーンオイルを塗布するのが好ましい。これにより、第１のコネクタ部２Ａ内での摺動性が向上する。また、弁体５の全長（図２中、Ｈで示す長さ）は、特に限定されず、通常、１５ｍｍ以上であるのが好ましく、１５〜１８ｍｍ（滞留防止考慮時）であるのがより好ましい。
【００７９】
また、管体６Ａを第１のコネクタ部２Ａに接続した際に管体６Ａの内側部（オスルアー）６１における挿入長さ（図９中、Ｗで示す長さ）が通常約７ｍｍとなるように、弁体５の変形率を２５〜５０％と設定するのが好ましい。これにより、弁体５が好適に変形することができる。また、これにより、弁体５のスリット５４が裂けるのを防止することができる。ここで、変形率とは、軸方向に対する弁体５の収縮率のことである。
【００８０】
このような弁体５が第１のコネクタ部２Ａおよび第２のコネクタ部２Ｂのそれぞれに設けられていることにより、各コネクタ部に管体が接続されていないとき、各流路における液体の流通を阻止することができる。
【００８１】
また、第１のコネクタ部２Ａおよび第２のコネクタ部２Ｂに同一の弁体５がそれぞれ設けられていることにより、コネクタ１に設置する弁体の種類が少なくなり、よって、コネクタ１を製造する製造コストを抑制することができる。
次に、管体６Ａについて説明する。
【００８２】
図９に示すように、管体６Ａは、第１のコネクタ部２Ａの接続口４２に接続される部位または器具である。管体６Ａとしては、例えば、シリンジ（注射器）の基端突出部位や、チューブ（輸液ライン）の一端に設けられたオスコネクタ等の管状器具が挙げられる。
【００８３】
管体６Ａは、略円筒状の内側部（内筒）６１と、この内側部６１の外周側に同心的に設けられた略円筒状の外側部（外筒）６２Ａとを有している。
【００８４】
内側部６１は、内部に流路６１１を有し、その外周面は、ルアーテーパ状をなしている。すなわち、管体６Ａの基端の外径は、蓋部４Ａの接続口４２の開口径（接続口径）よりわずかに小さく、先端方向に向かって外径が漸増するテーパ状をなし、管体６Ａの先端の外径は、接続口４２の開口径より大きくなっている。また、内側部６１の基端は、外側部６２Ａの基端よりさらに基端方向に延長して設けられている。
【００８５】
外側部６２Ａは、ルアーロック部となる部分であり、その内周面には、螺旋状のネジ山（ルアーロックネジ）６２１が形成されている。
【００８６】
管体６Ａを第１のコネクタ部２Ａに接続するには、内側部６１を接続口４２内に嵌入させるとともに、蓋部４Ａのネジ山４３１をネジ山６２１に螺合させてロックする。
【００８７】
なお、本発明では、第１のコネクタ部２Ａに接続される管体は、外側部６２Ａやそのネジ山６２１が省略されているものであってもよい。また、本発明では、内側部６１の外径が軸方向（長手方向）に一定であってもよい。
次に、管体６Ａが第１のコネクタ部２Ａに接続されたときについて説明する。
【００８８】
図９に示すように、管体６Ａの基端面６３が頭部５１の頂面５１１を軸方向に押圧する。これにより、胴部５５が軸方向に変形し（圧縮され）、頭部５１が第１の内腔部４３から移動して、第２の内腔部３３に入り込む。頭部５１は、それまで第１の内腔部４３内で第１の内腔部４３の内周面４３２に規制されていたが、第２の内腔部３３に移動したことにより、頭部５１の外周面の規制が解除または緩和され、その結果、軸方向の圧縮により、図９中の矢印方向に充分に拡径することができる、すなわち、充分に変形することができる。従って、スリット５４が確実かつ充分に開く（開口する）ことができる。また、これにより、管体６Ａの流路６１１からコネクタ本体９の第１の流路７への液体の流路を確実に確保することができ、よって、例えば、輸液、輸血、栄養投与等の際、液体が円滑に通過することができる。
【００８９】
次に、第２のコネクタ部２Ｂについて説明するが、前述した第２のコネクタ部２Ｂとの相違点を中心に説明し、同様の事項はその説明を省略する。前述したように、第２のコネクタ部２Ｂは、その外周部の形状が第１のコネクタ部２Ａの外周部の形状と異なること以外は、第１のコネクタ部２Ａとほぼ同様である。第２のコネクタ部２Ｂは、その蓋部４Ｂの外周部４６Ｂの形状が第１のコネクタ部２Ａの蓋部４Ａの外周部４６Ａの形状と異なること以外は、第１のコネクタ部２Ａとほぼ同一（同様）である。
【００９０】
図１に示すように、第２のコネクタ部２Ｂの蓋部４Ｂには、外周部４６Ｂの接続口４２付近にネジ山４３３が設けられている。このネジ山４３３には、当該ネジ山４３３の一部を欠損させたような欠損部（切欠き部）４３４が２つ間欠的に設けられている。
【００９１】
このネジ山４３３には、後述する管体６Ｂの外側部６２Ｂの爪部６２２が係止するようになっており、管体６Ｂを第２のコネクタ２Ｂに接続する際は、この係止により、蓋部４Ｂに対して管体６Ｂが固定（ロック）される。
次に、管体６Ｂについて説明する。
【００９２】
図８に示すように、管体６Ｂは、第２のコネクタ部２Ｂの接続口４２に接続される部位または器具である。管体６Ｂとしては、例えば、シリンジ（注射器）の基端突出部位（針管を接続する部位）や、それ自体独立したハブ、シース等の管状器具が挙げられる。
【００９３】
管体６Ｂは、管体６Ａとほぼ同様の略円筒状の内側部（内筒）６１と、この内側部６１の外周側に同心的に設けられた略円筒状の外側部（外筒）６２Ｂとを有している。
【００９４】
外側部６２Ｂは、第２のコネクタ部２Ｂに係止（係合）する部分であり、その内周部には、対向する２つの爪部６２２が形成されている。
【００９５】
管体６Ｂを第２のコネクタ部２Ｂに接続するには、内側部６１を接続口４２内に嵌入させるとともに、各爪部６２２を欠損部４３４に嵌合させる。その後、管体６Ｂをネジ山４３３に沿って回転させる。これにより、各爪部６２２がネジ山４３３に係止（ロック）することとなる。
【００９６】
なお、本発明では、第２のコネクタ部２Ｂに接続される管体は、外側部６２Ｂやその爪部６２２が省略されているものであってもよい（例えば、図６に示す管体６Ｂ’参照）。
【００９７】
以上のようなコネクタ１は、それ自体の構造を簡単なものとすることができ、よって、例えば、医療用容器１０（栓体１０４）に対して容易に着脱することができる。
【００９８】
また、コネクタ１では、医療用容器１０に液体を注入するとき、注射針のように鋭利な先端を有するものを使用しなくてもよい。このため、注射針により誤って医療従事者の指先等を穿刺するのが確実に防止される、すなわち、注入操作が安全に行なわれる。
【００９９】
また、管体と各コネクタ部とは、嵌合により容易に接続されるため、注入操作を容易に行なうことができる。
【０１００】
また、前述したように第１の流路７と第２の流路８とが互いに独立していることにより、第１の流路７を通過する液体（以下、この液体を「液体Ｒ１」という）と、第２の流路８を通過し、液体Ｒ１と組成が異なる液体（以下、この液体を「液体Ｒ２」という）とがコネクタ１内で混合するの確実に防止される。これにより、各流路の途中での液体同士の混合が好ましくない場合、例えば、濃度が高い状態の液体Ｒ１およびＲ２が混合すると凝固するおそれがあるような場合、開口７１から流出した（注入された）液体Ｒ１と開口８３から流出した（注入された）液体Ｒ２とがそれぞれ、医療用容器１０内の液体Ｒによって薄められ、この状態で液体Ｒ１と液体Ｒ２とが凝固せずに混合する。従って、コネクタ１により、２種の液体Ｒ１、Ｒ２を医療用容器１０に安全に注入することができる。
【０１０１】
また、コネクタ１では、両流路から液体を注入するのに限定されず、例えば、一方の流路から液体を注入し、他方の流路から液体を排出してもよいし、各流路から液体の注入と液体の排出とを繰り返し行なってもよい。
【０１０２】
また、第１のコネクタ部２Ａの蓋部４Ａの外周部４６Ａと第２のコネクタ部２Ｂの蓋部４Ｂの外周部４６Ｂとは、形状が互いに異なっているため、所定のコネクタ部に接続すべき管体が誤ったコネクタ部に接続されるのを確実に防止することができる、すなわち、管体の接続が安全に行なわれ、よって、液体の注入が安全に行なわれる。このように、所定のコネクタ部とそれに接続すべき管体とを確実に（厳密に）区別して注入を行なう液体としては、例えば、塩化カリウム溶液のような電解質補正用剤（緩衝液）、抗癌剤、輸液剤、抗生剤、麻酔薬（全身麻酔薬）等が挙げられる。
【０１０３】
次に、コネクタ１の使用方法の一例について詳細に説明する。ここで、医療用容器１０には、液体Ｒとしての高カロリー輸液剤が予め無菌状態で充填されている場合を例に挙げる。
【０１０４】
［１］  まず、医療用容器１０の栓体１０４にコネクタ１を刺通させる、すなわち、装着する（図６参照）。
【０１０５】
［２］  次に、液体Ｒ２（例えば、総合ビタミン剤）が充填されたプレフィルドシリンジ２０を用意する。このプレフィルドシリンジ２０（管体６Ｂ’）の口部（内側部６１）を第２のコネクタ部２Ｂに接続する（図６参照）。この接続により、第２のコネクタ部２Ｂ内の弁体５のスリット５４が開口して、プレフィルドシリンジ２０内とコネクタ１の第２の流路８とが連通する。
【０１０６】
その後、プレフィルドシリンジ２０のプランジャ（図示せず）を押圧して、プレフィルドシリンジ２０内の液体Ｒ２を医療用容器１０内に注入（混注）する。なお、液体Ｒ２が第２の流路８内に残留するのを防止する場合には、前記プランジャを往復動させる、すなわち、ポンピング操作を行なってもよいし、医療用容器１０内の空気（気体）で第２の流路８内の液体Ｒ２を置換してもよい。後者の操作（行為）は、特に、感染防止に有効である。
【０１０７】
［３］  次に、第２のコネクタ部２Ｂからプレフィルドシリンジ２０を抜去する。これに伴い、弁体５のスリット５４が閉じる。これにより、医療用容器１０内の無菌状態を維持することができる。
【０１０８】
［４］  次に、図７に示すように、輸液チューブ４０（管体６Ａ）の一端部（外側部６２Ａ）を第１のコネクタ部２Ａに接続する。この接続により、第１のコネクタ部２Ａ内の弁体５のスリット５４が開口して、輸液チューブ４０内とコネクタ１の第１の流路７とが連通する。なお、輸液チューブ４０の他端部には、針体（図示せず）が設けられており、当該針体は、予め、患者に穿刺されている。
【０１０９】
このような一連の操作により、液体Ｒと液体Ｒ２とが混合した液体Ｒ２が第２の流路８を介して、輸液チューブ４０内に流入する、すなわち、患者への輸液を行なうことができる。
【０１１０】
さらに、輸液を行いつつ、医療用容器１０内に薬剤を注入する場合について説明する。この薬剤として、塩化カリウム溶液を例に挙げる。塩化カリウム溶液は、その濃度を低くして、すなわち、希釈して患者に投与されるものである。
【０１１１】
［５］  塩化カリウム溶液（薬剤）が充填されたプレフィルドシリンジ３０を用意する。このプレフィルドシリンジ３０（管体６Ｂ’）の口部（内側部６１）を第２のコネクタ部２Ｂに接続する（図８参照）。この接続により、第２のコネクタ部２Ｂ内の弁体５のスリット５４が開口して、プレフィルドシリンジ３０内とコネクタ１の第２の流路８とが連通する。
【０１１２】
その後、プレフィルドシリンジ３０のプランジャ（図示せず）を押圧して、プレフィルドシリンジ３０内の塩化カリウム溶液を医療用容器１０内に注入（混注）する。これにより、塩化カリウム溶液は、医療用容器１０内で十分に希釈される。この希釈された塩化カリウム溶液は、輸液チューブ４０を介して液体Ｒ１とともに患者へ投与される。
【０１１３】
また、輸液チューブ４０には、例えば、第１のコネクタ部２Ａおよび第２のコネクタ部２Ｂと同様な弁体５を備えた第３のコネクタ部を有する側管が設けられたものが挙げられる。第３のコネクタ部は、その外周部の形状を第２のコネクタ部と異なる形状にすることにより、プレフィルドシリンジ内の薬剤が直接患者に投与されることを防ぐことができる。
【０１１４】
＜第２実施形態＞
図１０は、本発明のコネクタの第２実施形態を示す斜視図である。
【０１１５】
以下、この図を参照して本発明のコネクタの第２実施形態について説明するが、前述した実施形態との相違点を中心に説明し、同様の事項はその説明を省略する。
【０１１６】
本実施形態は、第１のコネクタ部から弁体が省略されていること以外は前記第１実施形態と同様である。
【０１１７】
図１０に示すコネクタ１の第１のコネクタ部２Ａからは、弁体５が省略されている。このため、第１の内腔部４３が省略されており、その分だけ蓋部４Ａのｘ軸方向における長さが短くなっている。また、ネジ山４３１は、嵌合部４４の外周部に設けられている。
【０１１８】
このようなコネクタ１の第１のコネクタ部２Ａは、予め、例えばチューブ６４を介して、液体を貯留する貯留部（図示せず）に接続することができる。これにより、第１のコネクタ部２Ａに対するチューブの抜き差し操作を省略することができ、よって、液体の注入操作を迅速かつ容易に行なうことができる。
なお、チューブ４０としては、例えば、第１実施形態に記載したものが挙げられる。
【０１１９】
＜第３実施形態＞
図１１は、本発明のコネクタの第３実施形態を示す平面図である。
【０１２０】
以下、この図を参照して本発明のコネクタの第３実施形態について説明するが、前述した実施形態との相違点を中心に説明し、同様の事項はその説明を省略する。
本実施形態は、針体の形状が異なること以外は前記第１実施形態と同様である。
【０１２１】
図１１に示すように、コネクタ本体９の針体９１Ａは、その外径が先端方向（ｘ軸負方向）に向って漸減する外径漸減部（先端部）９１２が設けられている。この外径漸減部（テーパ部）９１２には、第１の流路７の開口７１と第２の流路８の開口８３とが設けられている。これにより、開口７１と開口８３とが互いの近傍に設けられ、よって、例えば第１の流路７と第２の流路８とから同時に液体を注入したとき、開口７１および８３からぞれぞれ流出した液体が医療用容器１０内で迅速に混合される。
【０１２２】
以上、本発明のコネクタを図示の実施形態について説明したが、本発明は、これに限定されるものではなく、コネクタを構成する各部は、同様の機能を発揮し得る任意の構成のものと置換することができる。また、任意の構成物が付加されていてもよい。
【０１２３】
例えば、弁体がその軸を中心に回転するのを防止するよう構成されていてもよい。
また、弁体は、組成や特性（柔軟性、曲げ弾性率、ゴム硬度等）の異なる２種以上の弾性材料からなるものであってもよい。
【０１２４】
また、弁体のスリットは、その形状が一文字状のものに限らず、十文字状、Ｌ字状、Ｈ字状、コ字状、Ｙ字状等のものであってもよいし、またはそれを複数重ねたものであってもよい。
【０１２５】
また、弁体のテーパ部は、頭部の頂面付近に形成されるのに限定されず、例えば、頭部のほぼ全体に形成されていてもよい。
【０１２６】
また、弁体の当接部の形成数は、２つに限定されず、スリットの形成条件（形状、形成数、大きさ等）により、適宜設定することができる。
【０１２７】
また、弁体は、図示の構成の弁体であるのに限定されず、例えば、いわゆるダックビル弁と呼ばれている弁体であってもよいし、バックフロータイプの弁体であってもよいし、ポジティブフロータイプの弁体であってもよいし、ニュートラルタイプの弁体であってもよい。
【０１２８】
ここで、バックフロータイプの弁体とは、当該弁体の変形によって液体をコネクタ部側から引き戻すように作動する弁体のことである。また、ポジティブフロータイプの弁体とは、弁体の内腔部の容積の変化（減少）によって液体をコネクタ部側に押し出すように作動する弁体のことである。また、ニュートラルタイプの弁体とは、コネクタ部から管体を離脱させたときに、当該コネクタ部側に液体が移動し難いまたは移動しないように作動する弁体のことである。
【０１２９】
また、第１のコネクタ部および第２のコネクタ部に設けられた弁体は、それぞれ、同一のものであるのに限定されず、例えば、互いに異なるものであってもよい。
【０１３０】
また、医療用容器としては、輸液バッグに限定されず、例えば、輸液ボトル、薬液収納ビン、輸血バッグ、培養容器、排液容器等であってもよい。
【０１３１】
また、液体の注入先ととしては、医療用容器であるのに限定されず、例えば、人体（血管）であってもよい。
【０１３２】
第１の流路と第２の流路の第１の部位とは、図示のような構成、すなわち、並列に配置されている限定されず、例えば、それらが二重管構造をなしている、すなわち、互いに同心的に設けられていてもよい。
【０１３３】
また、第２のコネクタ部の設置数は、１つであるのに限定されず、例えば、２つ以上であってもよい。第２のコネクタ部の設置数が２つ以上である場合には、各第２のコネクタ部の外周部の形状がそれぞれ異なっていてもよいし、少なくとも２つの外径部の形状が互いに同一であってもよい。
【０１３４】
また、第１のコネクタ部と第２のコネクタ部とは、コネクタ本体に固定的に設置されているのに限定されず、例えば、コネクタ本体に対して回動（可動）するように設置されていてもよい。
【図面の簡単な説明】
【０１３５】
【図１】本発明のコネクタの第１実施形態を示す斜視図である。
【図２】図１中のＡ−Ａ線断面図である。
【図３】図２中の領域［Ｂ］の拡大詳細図である。
【図４】図１に示すコネクタが有する弁体の斜視図である。
【図５】図４中のＣ−Ｃ線断面図である。
【図６】図１に示すコネクタの使用状態を示す図である。
【図７】図１に示すコネクタの使用状態を示す図である。
【図８】図１に示すコネクタの使用状態を示す図である。
【図９】図７中のＤ−Ｄ線断面図である。
【図１０】本発明のコネクタの第２実施形態を示す斜視図である。
【図１１】本発明のコネクタの第３実施形態を示す平面図である。
【符号の説明】
【０１３６】
１          コネクタ
２Ａ        第１のコネクタ部
２Ｂ        第２のコネクタ部
３          弁体設置部
３１        段差部
３２１      外周面
３３        第２の内腔部
３４        第３の内腔部
３４１      内周面
３５        底面
４Ａ、４Ｂ  蓋部
４１        段差部
４２        接続口
４３        第１の内腔部
４３１      ネジ山
４３２      内周面
４３３      ネジ山
４３４      欠損部（切欠き部）
４４        嵌合部
４５        リブ
４６Ａ、４６Ｂ  外周部
５          弁体
５１        頭部
５１１      頂面
５１２      内腔部
５１３      底部
５２        当接部
５４        スリット
５５        胴部
５５１      外周面
５５２      大径リング部
５５３      小径リング部
５６        テーパ部
５６１      切欠き
５７        外径一定部
６Ａ、６Ｂ、６Ｂ’  管体
６１        内側部
６１１      流路
６２Ａ、６２Ｂ  外側部
６２１      ネジ山
６２２      爪部
６３        基端面
６４        チューブ
７          第１の流路
７１、７２  開口
８          第２の流路
８１        第１の部位
８２        第２の部位
８３        開口
９          コネクタ本体
９１、９１Ａ  針体
９１１      端面
９１２      外径漸減部（テーパ部）
９２        フランジ部
１０        医療用容器
１０１      容器本体（輸液バッグ）
１０２      口部（開口部）
１０３      液体収納部
１０４      栓体
Ｒ、Ｒ１、Ｒ２  液体
２０、３０  プレフィルドシリンジ
４０        輸液チューブ
【図１】
2006212084.tif 000003
【図２】
2006212084.tif 000004
【図３】
2006212084.tif 000005
【図４】
2006212084.tif 000006
【図５】
2006212084.tif 000007
【図６】
2006212084.tif 000008
【図７】
2006212084.tif 000009
【図８】
2006212084.tif 000010
【図９】
2006212084.tif 000011
【図１０】
2006212084.tif 000012
【図１１】
2006212084.tif 000013